(57)【要約】      （修正有）【課題】吸引動作と吸引停止を容易に行うことができる卵胞内卵子吸引採取器具を提供する。【解決手段】吸引チューブと、吸引チューブを保持する器具本体とを備え、吸引チューブは、一端に吸引針の針基を装着するジョイントを有し、器具本体は、ジョイントを装着するジョイント接続部２１と、吸引チューブを導出する吸引チューブ出口部２２と、ジョイント接続部から吸引チューブ出口部までの間をつなぐ吸引チューブ保持通路２３とを有し、ジョイント接続部２１は、器具本体の一端に形成し、吸引チューブ出口部２２は、器具本体の他端側に形成し、吸引チューブ保持通路２３に沿ってスライドするストッパー３０を設け、ストッパーをスライドさせることで、吸引チューブの内部通路を開閉する。【選択図】図３
0003213756.tif 000002
【実用新案登録請求の範囲】
【請求項１】
卵胞内卵子を吸引する吸引針を装着し、前記吸引針で吸引した前記卵胞内卵子を回収容器に導く吸引チューブを保持する卵胞内卵子吸引採取器具であって、
前記吸引チューブと、
前記吸引チューブを保持する器具本体と
を備え、
前記吸引チューブは、
一端に前記吸引針の針基を装着するジョイントを有し、
前記器具本体は、
前記ジョイントを装着するジョイント接続部と、
前記吸引チューブを導出する吸引チューブ出口部と、
前記ジョイント接続部から前記吸引チューブ出口部までの間をつなぐ吸引チューブ保持通路と
を有し、
前記ジョイント接続部は、前記器具本体の一端に形成し、
前記吸引チューブ出口部は、前記器具本体の他端側に形成し、
前記吸引チューブ保持通路に沿ってスライドするストッパーを設け、
前記ストッパーをスライドさせることで、前記吸引チューブの内部通路を開閉する
ことを特徴とする卵胞内卵子吸引採取器具。
【請求項２】
前記ジョイントをルアーロックによる接続とした
ことを特徴とする請求項１に記載の卵胞内卵子吸引採取器具。
【請求項３】
前記ジョイント接続部は、
前記ジョイントを挿入するジョイント挿入孔と、
前記ジョイント挿入孔を拡径可能にするスリットと
を有する
ことを特徴とする請求項１又は請求項２に記載の卵胞内卵子吸引採取器具。
【請求項４】
前記吸引チューブ出口部として、
前記器具本体の他端面に形成した第１吸引チューブ出口部と、
前記器具本体の他端側側面に形成した第２吸引チューブ出口部と
を有する
ことを特徴とする請求項１から請求項３のいずれか１項に記載の卵胞内卵子吸引採取器具。
【請求項５】
前記器具本体は、
前記吸引チューブ保持通路に沿って前記ストッパーをスライドさせるスライド溝を有し、
前記スライド溝は、後端側に幅広部を有し、
前記幅広部によって、前記ストッパーを前記スライド溝に着脱する
ことを特徴とする請求項１から請求項４のいずれか１項に記載の卵胞内卵子吸引採取器具。
【請求項６】
前記吸引チューブ保持通路は、
傾斜面と、
前記傾斜面の一方に形成される浅面と、
前記傾斜面の他方に形成される深面と
を有し、
前記浅面は前記ジョイント接続部側に位置し、
前記深面は前記吸引チューブ出口部側に位置し、
前記ストッパーが前記浅面に位置するときに前記吸引チューブの前記内部通路を閉塞し、
前記ストッパーが前記深面に位置するときに前記吸引チューブの前記内部通路を開放する
ことを特徴とする請求項１から請求項５のいずれか１項に記載の卵胞内卵子吸引採取器具。
【請求項７】
前記ストッパーは、
操作部と、
前記操作部から延出させた吸引チューブ押圧部と、
前記操作部との間に隙間を形成するガイド部と
を有し、
前記操作部には、滑り止めの突起を形成した
ことを特徴とする請求項１から請求項６のいずれか１項に記載の卵胞内卵子吸引採取器具。
【請求項８】
前記器具本体の一端側に形成する先端部を、前記器具本体の他端側に形成する後端部よりも外形を小さくした
ことを特徴とする請求項１から請求項７のいずれか１項に記載の卵胞内卵子吸引採取器具。
【請求項９】
前記吸引チューブ保持通路は、
前記器具本体の内部に形成する器具本体内吸引チューブ保持通路と、
前記器具本体の外周面に形成する器具本体外周面吸引チューブ保持通路と
を有し、
前記器具本体は、
前記器具本体内吸引チューブ保持通路と前記器具本体外周面吸引チューブ保持通路とを連通する連通開口部を有し、
前記器具本体内吸引チューブ保持通路は、前記ジョイント接続部と前記連通開口部とを連通し、
前記器具本体外周面吸引チューブ保持通路は、前記連通開口部と前記吸引チューブ出口部とを連通する
ことを特徴とする請求項１から請求項８のいずれか１項に記載の卵胞内卵子吸引採取器具。
【考案の詳細な説明】
【技術分野】
【０００１】
本考案は、簡易的に安定した吸引圧によって卵胞内卵子を吸引採取できる卵胞内卵子吸引採取器具に関する。
【背景技術】
【０００２】
高付加価値のエリート家畜の育種改良や増殖、生殖補助医療あるいは絶滅危惧種の動物種において、体外受精や胚移植技術は、基礎研究から産子生産まで広く用いられてきている。家畜では、一度に多数の体外受精胚を短期間に安価に生産するためには、食肉処理場由来卵巣の卵胞から採取された未成熟卵子を用いることが有効である。通常、卵子は、注射筒を用いて卵胞から手動吸引して採取される。
しかし、吸引圧が低いと卵子が採取されず、高いと体外成熟過程で必須である卵子周囲の卵丘細胞が剥離されて裸化されてしまうことから、作業には熟練を要する。また、注射筒による吸引採取は、術者によって吸引圧が異なることや、一定時間、適正な吸引圧を維持しながら採取することは困難である。
特許文献１は、卵巣組織内に刺入して組織中の卵子を吸引する中空吸引針と、中空吸引針と連通して吸引された卵子を貯留する貯留容器と、貯留容器内部を陰圧にする吸引ポンプとを備え、卵巣からの卵子を吸引採取するに当たって、作業者の吸引操作を補助して、作業者の熟練度を軽減することができ、採取操作自体を簡便化できる卵子採取用吸引装置を開示している。
【先行技術文献】
【特許文献】
【０００３】
【特許文献１】特開平１１−２０６７９２号公報
【考案の概要】
【考案が解決しようとする課題】
【０００４】
特許文献１の装置によれば、術者による熟練度に影響されにくく、所定の吸引圧で卵子を吸引採取することができる。
しかし、特許文献１では、吸引時には外気取入口を指で塞ぐ必要があり、指で外気取入口を塞ぐという操作が、吸引採取作業に影響を与えてしまう。
【０００５】
そこで本考案は、吸引動作と吸引停止を容易に行うことができる卵胞内卵子吸引採取器具を提供することを目的とする。
【課題を解決するための手段】
【０００６】
請求項１記載の本考案の卵胞内卵子吸引採取器具は、卵胞内卵子を吸引する吸引針１を装着し、前記吸引針１で吸引した前記卵胞内卵子を回収容器２に導く吸引チューブ１０を保持する卵胞内卵子吸引採取器具であって、前記吸引チューブ１０と、前記吸引チューブ１０を保持する器具本体２０とを備え、前記吸引チューブ１０は、一端に前記吸引針１の針基１ａを装着するジョイント１１を有し、前記器具本体２０は、前記ジョイント１１を装着するジョイント接続部２１と、前記吸引チューブ１０を導出する吸引チューブ出口部２２と、前記ジョイント接続部２１から前記吸引チューブ出口部２２までの間をつなぐ吸引チューブ保持通路２３を有し、前記ジョイント接続部２１は、前記器具本体２０の一端に形成し、前記吸引チューブ出口部２２は、前記器具本体２０の他端側に形成し、前記吸引チューブ保持通路２３に沿ってスライドするストッパー３０を設け、前記ストッパー３０をスライドさせることで、前記吸引チューブ１０の内部通路を開閉することを特徴とする。
請求項２記載の本考案は、請求項１に記載の卵胞内卵子吸引採取器具において、前記ジョイント１１をルアーロックによる接続としたことを特徴とする。
請求項３記載の本考案は、請求項１又は請求項２に記載の卵胞内卵子吸引採取器具において、前記ジョイント接続部２１は、前記ジョイント１１を挿入するジョイント挿入孔２１ａと、前記ジョイント挿入孔２１ａを拡径可能にするスリット２１ｂとを有することを特徴とする。
請求項４記載の本考案は、請求項１から請求項３のいずれか１項に記載の卵胞内卵子吸引採取器具において、前記吸引チューブ出口部２２として、前記器具本体２０の他端面２０Ｒに形成した第１吸引チューブ出口部２２Ａと、前記器具本体２０の他端側側面２０Ｓに形成した第２吸引チューブ出口部２２Ｂとを有することを特徴とする。
請求項５記載の本考案は、請求項１から請求項４のいずれか１項に記載の卵胞内卵子吸引採取器具において、前記器具本体２０は、前記吸引チューブ保持通路２３に沿って前記ストッパー３０をスライドさせるスライド溝２４を有し、前記スライド溝２４は、後端側に幅広部２４ａを有し、前記幅広部２４ａによって、前記ストッパー３０を前記スライド溝２４に着脱することを特徴とする。
請求項６記載の本考案は、請求項１から請求項５のいずれか１項に記載の卵胞内卵子吸引採取器具において、前記吸引チューブ保持通路２３は、傾斜面２３ａと、前記傾斜面２３ａの一方に形成される浅面２３ｂと、前記傾斜面２３ａの他方に形成される深面２３ｃとを有し、前記浅面２３ｂは前記ジョイント接続部２１側に位置し、前記深面２３ｃは前記吸引チューブ出口部２２側に位置し、前記ストッパー３０が前記浅面２３ｂに位置するときに前記吸引チューブ１０の前記内部通路を閉塞し、前記ストッパー３０が前記深面２３ｃに位置するときに前記吸引チューブ１０の前記内部通路を開放することを特徴とする。
請求項７記載の本考案は、請求項１から請求項６のいずれか１項に記載の卵胞内卵子吸引採取器具において、前記ストッパー３０は、操作部３１と、前記操作部３１から延出させた吸引チューブ押圧部３２と、前記操作部３１との間に隙間を形成するガイド部３３とを有し、前記操作部３１には、滑り止めの突起３１ａを形成したことを特徴とする。
請求項８記載の本考案は、請求項１から請求項７のいずれか１項に記載の卵胞内卵子吸引採取器具において、前記器具本体２０の一端側に形成する先端部２０Ｘを、前記器具本体２０の他端側に形成する後端部２０Ｙよりも外形を小さくしたことを特徴とする。
請求項９記載の本考案は、請求項１から請求項８のいずれか１項に記載の卵胞内卵子吸引採取器具において、前記吸引チューブ保持通路２３は、前記器具本体２０の内部に形成する器具本体内吸引チューブ保持通路２３Ｘと、前記器具本体２０の外周面に形成する器具本体外周面吸引チューブ保持通路２３Ｙとを有し、前記器具本体２０は、前記器具本体内吸引チューブ保持通路２３Ｘと前記器具本体外周面吸引チューブ保持通路２３Ｙとを連通する連通開口部２５を有し、前記器具本体内吸引チューブ保持通路２３Ｘは、前記ジョイント接続部２１と前記連通開口部２５とを連通し、前記器具本体外周面吸引チューブ保持通路２３Ｙは、前記連通開口部２５と前記吸引チューブ出口部２２Ｃ（２２）とを連通することを特徴とする。
【考案の効果】
【０００７】
本考案によれば、ストッパーのスライド操作によって吸引チューブの内部通路を開閉できるため、吸引動作と吸引停止を容易に行うことができる。
【図面の簡単な説明】
【０００８】
【図１】本考案の一実施例による卵胞内卵子吸引採取器具を用いる吸引採取装置の構成を示す写真
【図２】同卵胞内卵子吸引採取器具の吸引チューブを示す写真
【図３】同卵胞内卵子吸引採取器具の器具本体を示す写真
【図４】同卵胞内卵子吸引採取器具の使用状況を示す写真
【図５】同卵胞内卵子吸引採取器具の実証結果を示す図
【図６】本考案の他の実施例による卵胞内卵子吸引採取器具の器具本体を示す透視図
【考案を実施するための形態】
【０００９】
本考案の第１の実施の形態による卵胞内卵子吸引採取器具は、吸引チューブと、吸引チューブを保持する器具本体とを備え、吸引チューブは、一端に吸引針の針基を装着するジョイントを有し、器具本体は、ジョイントを装着するジョイント接続部と、吸引チューブを導出する吸引チューブ出口部と、ジョイント接続部から吸引チューブ出口部までの間をつなぐ吸引チューブ保持通路とを有し、ジョイント接続部は、器具本体の一端に形成し、吸引チューブ出口部は、器具本体の他端側に形成し、吸引チューブ保持通路に沿ってスライドするストッパーを設け、ストッパーをスライドさせることで、吸引チューブの内部通路を開閉するものである。
本実施の形態によれば、ストッパーのスライド操作によって吸引チューブの内部通路を開閉できるため、吸引動作と吸引停止を容易に行うことができる。
【００１０】
本考案の第２の実施の形態は、第１の実施の形態による卵胞内卵子吸引採取器具において、ジョイントをルアーロックによる接続としたものである。
本実施の形態によれば、吸引針の針基を緩み無く接続でき、吸引針の刃先のカット面の方向を一定の方向に維持できるため、卵胞内卵子の吸引作業を安定して行える。
【００１１】
本考案の第３の実施の形態は、第１又は第２の実施の形態による卵胞内卵子吸引採取器具において、ジョイント接続部が、ジョイントを挿入するジョイント挿入孔と、ジョイント挿入孔を拡径可能にするスリットとを有するものである。
本実施の形態によれば、スリットによってジョイントをジョイント挿入孔に圧入でき、ジョイントを緩み無く保持することができる。
【００１２】
本考案の第４の実施の形態は、第１から第３のいずれかの実施の形態による卵胞内卵子吸引採取器具において、吸引チューブ出口部として、器具本体の他端面に形成した第１吸引チューブ出口部と、器具本体の他端側側面に形成した第２吸引チューブ出口部とを有するものである。
本実施の形態によれば、回収容器の配置する位置などの作業環境や作業者の好みに応じて第１吸引チューブ出口部と第２吸引チューブ出口部とを選択できるため、作業効率が向上する。
【００１３】
本考案の第５の実施の形態は、第１から第４のいずれかの実施の形態による卵胞内卵子吸引採取器具において、器具本体が、吸引チューブ保持通路に沿ってストッパーをスライドさせるスライド溝を有し、スライド溝は、後端側に幅広部を有し、幅広部によって、ストッパーをスライド溝に着脱するものである。
本実施の形態によれば、ストッパーを着脱できるため、容易に洗浄ができ、器具本体を洗浄することで再利用が可能となる。
【００１４】
本考案の第６の実施の形態は、第１から第５のいずれかの実施の形態による卵胞内卵子吸引採取器具において、吸引チューブ保持通路が、傾斜面と、傾斜面の一方に形成される浅面と、傾斜面の他方に形成される深面とを有し、浅面はジョイント接続部側に位置し、深面は吸引チューブ出口部側に位置し、ストッパーが浅面に位置するときに吸引チューブの内部通路を閉塞し、ストッパーが深面に位置するときに吸引チューブの内部通路を開放するものである。
本実施の形態によれば、吸引チューブの内部通路の開閉動作をスムーズに行うことができる。
【００１５】
本考案の第７の実施の形態は、第１から第６のいずれかの実施の形態による卵胞内卵子吸引採取器具において、ストッパーが、操作部と、操作部から延出させた吸引チューブ押圧部と、操作部との間に隙間を形成するガイド部とを有し、操作部には、滑り止めの突起を形成したものである。
本実施の形態によれば、ストッパーをスライドし易く操作性が向上する。
【００１６】
本考案の第８の実施の形態は、第１から第７のいずれかの実施の形態による卵胞内卵子吸引採取器具において、器具本体の一端側に形成する先端部を、器具本体の他端側に形成する後端部よりも外形を小さくしたものである。
本実施の形態によれば、後端部で器具本体を握り、親指と人差し指とで先端部を掴みやすく、作業効率が向上する。
【００１７】
本考案の第９の実施の形態は、第１から第８のいずれかの実施の形態による卵胞内卵子吸引採取器具において、吸引チューブ保持通路は、器具本体の内部に形成する器具本体内吸引チューブ保持通路と、器具本体の外周面に形成する器具本体外周面吸引チューブ保持通路とを有し、器具本体は、器具本体内吸引チューブ保持通路と器具本体外周面吸引チューブ保持通路とを連通する連通開口部を有し、器具本体内吸引チューブ保持通路は、ジョイント接続部と連通開口部とを連通し、器具本体外周面吸引チューブ保持通路は、連通開口部と吸引チューブ出口部とを連通するものである。
本実施の形態によれば、器具本体外周面吸引チューブ保持通路によって吸引チューブの変位を無くすことができるため、ストッパーのスライド操作による吸引チューブの変位を防止でき、吸引チューブの変位によってジョイントがジョイント挿入孔から押し出されることを防止できるので、ジョイントを緩み無く保持することができる。
【実施例】
【００１８】
以下、本考案の実施例による卵胞内卵子吸引採取器具について説明する。
図１は本実施例による卵胞内卵子吸引採取器具を用いる吸引採取装置の構成を示す写真であり、図１（ａ）は吸引採取装置の全体構成を示し、図１（ｂ）は吸引採取装置の要部構成を示している。
本実施例による卵胞内卵子吸引採取器具Ａは、卵胞内卵子を吸引する吸引針１を装着し、吸引針１で吸引した卵胞内卵子を回収容器２に導く吸引チューブ１０を保持する。
卵胞内卵子の吸引には吸引器３を用いる。吸引器３は、吸引ポンプ３ａとトラップ容器３ｂとを有する。
吸引ポンプ３ａとトラップ容器３ｂとは第１吸引管３ｃで接続され、トラップ容器３ｂと回収容器２とは第２吸引管３ｄで接続される。
吸引チューブ１０の一端にはジョイント１１を有している。ジョイント１１は、吸引針１の針基１ａを装着する。吸引チューブ１０の他端１２は、回収容器２に接続される。
吸引器３は、吸引圧を、表示計３ｅによりリアルタイムに確認でき、つまみ３ｆにより約８０ｍｍＨＧ〜１３０ｍｍＨＧ（≒１０．７ｋＰａ〜１７．３ｋPａ）に調整可能であることが好ましい。
卵胞内卵子吸引採取器具Ａは、吸引チューブ１０と、吸引チューブ１０を保持する器具本体２０とを備えている。
【００１９】
図２は本実施例による卵胞内卵子吸引採取器具の吸引チューブを示す写真であり、図２（ａ）は同吸引チューブの全体構成を示し、図２（ｂ）は同吸引チューブの要部を示し、図２（ｃ）は同吸引チューブを器具本体に装着した状態を示している。
図２（ａ）に示すように、吸引チューブ１０は、一端にジョイント１１を有し、約６０ｃｍの長さとしている。吸引チューブ１０は約８０ｃｍ以下が好ましく、他端側を切断して使用環境に応じた長さとすることができる。吸引チューブ１０は、一端にジョイント１１を設けた状態で滅菌包装し、所定の作業単位で交換することが好ましい。吸引チューブ１０のチューブ本体には塩化ビニール、シリコンなどを用いることができる。これらの１種、又は２種を組み合わせて用いても良い。
図２（ｂ）に示すように、ジョイント１１は、吸引針１の針基１ａを装着する針装着部１１ａと、器具本体装着部１１ｂとを有している。
針装着部１１ａの内部には、吸引針１と連通する吸引筒部１１ｃが配置され、器具本体装着部１１ｂの内部には吸引孔１１ｄが形成されている。
針装着部１１ａの内周面には螺旋状溝が形成され、針装着部１１ａの螺旋状溝と針基１ａの突起１ｂとでルアーロックによる接続としている。ジョイント１１と吸引針１とをルアーロックによる接続とすることで、吸引針１の針基１ａを緩み無く接続でき、吸引針１の針穴１ｃのカット面の方向を一定の方向に維持できるため、卵胞内卵子の吸引作業を安定して行える。
器具本体装着部１１ｂには吸引チューブ１０が接続されている。吸引針１と吸引チューブ１０とは、吸引筒部１１ｃと吸引孔１１ｄとで連通している。
図２（ｃ）に示すように、ジョイント１１は、器具本体装着部１１ｂによって器具本体２０に装着される。
【００２０】
図３は本実施例による卵胞内卵子吸引採取器具の器具本体を示す写真である。
図３（ａ）は同器具本体の全体斜視図を示し、図３（ｂ）はストッパーを外した状態での同器具本体をジョイント接続部側から見た斜視図を示し、図３（ｃ）は図３（ｂ）の裏面側の斜視図を示し、図３（ｄ）はストッパーを外した状態での同器具本体を吸引チューブ出口部側から見た斜視図を示している。
器具本体２０は、ジョイント１１を装着するジョイント接続部２１と、吸引チューブ１０を導出する吸引チューブ出口部２２と、ジョイント接続部２１から吸引チューブ出口部２２までの間をつなぐ吸引チューブ保持通路２３とを有している。器具本体２０には、ＡＢＳ、ポリプロピレン、ナイロン、又はプラスチックを用いることができる。これらの１種、又は２種を組み合わせて用いても良い。
ジョイント接続部２１は、器具本体２０の一端に形成し、吸引チューブ出口部２２は、器具本体２０の他端側に形成している。
ジョイント接続部２１は、ジョイント１１を挿入するジョイント挿入孔２１ａと、ジョイント挿入孔２１ａを拡径可能にするスリット２１ｂとを有する。スリット２１ｂは、ジョイント挿入孔２１ａに対して対称位置に一対形成している。スリット２１ｂを有することで、ジョイント１１をジョイント挿入孔２１ａに圧入でき、ジョイント１１を緩み無く保持することができる。
【００２１】
本実施例では、吸引チューブ出口部２２として、器具本体２０の他端面２０Ｒに形成した第１吸引チューブ出口部２２Ａと、器具本体２０の他端側側面２０Ｓに形成した第２吸引チューブ出口部２２Ｂとを有する。本実施例によれば、回収容器２の配置する位置などの作業環境や作業者の好みに応じて第１吸引チューブ出口部２２Ａと第２吸引チューブ出口部２２Ｂとを選択できるため、作業効率が向上する。
また本実施例では、器具本体２０の一端側に形成する先端部２０Ｘを、器具本体２０の他端側に形成する後端部２０Ｙよりも外形を小さくしている。
本実施例によれば、後端部２０Ｙで器具本体２０を握り、親指と人差し指とで先端部２０Ｘを掴みやすく、作業効率が向上する。
【００２２】
卵胞内卵子吸引採取器具Ａは、吸引チューブ保持通路２３に沿ってスライドするストッパー３０を有する。
器具本体２０は、吸引チューブ保持通路２３に沿ってストッパー３０をスライドさせるスライド溝２４を有する。スライド溝２４は、後端側に幅広部２４ａを有している。幅広部２４ａによって、ストッパー３０はスライド溝２４に着脱することができる。ストッパー３０を着脱できることで、器具本体２０を容易に洗浄ができ、洗浄することで器具本体２０を再利用できる。
【００２３】
図３（ｅ）はストッパーを操作部側から見た斜視図を示し、図３（ｆ）は図３（ｅ）の裏面側の斜視図を示している。
ストッパー３０は、操作部３１と、操作部３１から延出させた吸引チューブ押圧部３２と、操作部３１との間に隙間を形成するガイド部３３とを有している。
操作部３１には、滑り止めの突起３１ａを形成している。突起３１ａによって、ストッパー３０をスライドし易く操作性が向上する。
【００２４】
図３（ｇ）はストッパーによって吸引チューブの内部通路を閉塞した状態を示し、図３（ｈ）はストッパーによって吸引チューブの内部通路を開放した状態を示している。
吸引チューブ保持通路２３は、傾斜面２３ａと、傾斜面２３ａの一方に形成される浅面２３ｂと、傾斜面２３ａの他方に形成される深面２３ｃとを有している。
浅面２３ｂはジョイント接続部２１側に位置し、深面２３ｃは吸引チューブ出口部２２側に位置している。
図３（ｇ）に示すように、ストッパー３０が浅面２３ｂに位置するときに、浅面２３ｂに位置する吸引チューブ１０を、吸引チューブ押圧部３２で押圧することで、吸引チューブ１０の内部通路を閉塞する。吸引チューブ１０の内部通路を閉塞することで、吸引針１からは吸引されない。
また図３（ｈ）に示すように、ストッパー３０が深面２３ｃに位置するときには、深面２３ｃに位置する吸引チューブ１０は、吸引チューブ押圧部３２で押圧されないため、吸引チューブ１０の内部通路は開放される。吸引チューブ１０の内部通路を開放することで、吸引針１から吸引され、吸引採取作業を行うことができる。
【００２５】
図４は本実施例による卵胞内卵子吸引採取器具の使用状況を示す写真である。
図４（ａ）はストッパーの操作時の把持状態を示し、図４（ｂ）は吸引採取作業時の把持状態を示している。
図４（ａ）に示すように、ストッパー３０の操作時には、主に中指と薬指とで器具本体２０の後端部２０Ｙを掌に包み込むように握り、人差し指で器具本体２０の先端部２０Ｘを支え、親指でストッパー３０を操作する。
また、図４（ｂ）に示すように、吸引採取作業時には、主に中指と薬指とで器具本体２０の後端部２０Ｙを掌に包み込むようにして支え、薬指と人差し指で器具本体２０の先端部２０Ｘを掴むことで、吸引針１を操作する。
このように、器具本体２０の一端側に形成する先端部２０Ｘを、器具本体２０の他端側に形成する後端部２０Ｙよりも外形を小さくし、後端部２０Ｙにストッパー３０を配置し、ストッパー３０のスライド操作によって吸引チューブ１０の内部通路を開閉できるため、吸引動作と吸引停止を容易に行うことができる。
【００２６】
図５は本実施例による卵胞内卵子吸引採取器具の実証結果を示す図である。
【００２７】
卵子の採取
本実施例では、吸引ポンプ３ａとして新鋭工業株式会社製Ｍｉｎｉｃ  Ｗ−II、吸引針１と回収容器２を結ぶ吸引チューブ１０は５０ｃｍ及び７５ｃｍの２種類を用いた。この方法を、５ｍLの注射器を用いて手動吸引した対照区（比較例）と比較した。
食肉処理場由来の牛卵巣を用い、比較例及び本実施例において、卵丘細胞卵子複合体を採取した。卵胞の穿刺には比較例、本実施例ともに１９Ｇの注射針を吸引針１として用い、針穴１ｃを下に向けて実施した。
【００２８】
体外成熟培養
採取した卵丘細胞卵子複合体は、流動パラフィン（ナカライテスク株式会社）を重層した５％新生子牛血清（ＢｉｏｗｅｓｔＳＡＳ社、Ｎｅｗｂｏｒｎ Ｃａｌｆ Ｓｅｒｕｍ）、０．０２アーマーユニット／ｍＬ  ＦＳＨ（豚卵胞刺激ホルモン、共立製薬株式会社、アントリンＲ１０）添加Ｈｅｐｅｓ緩衝ＴＣＭ１９９（サーモフィッシャーサイエンティフィック株式会社）を用い、３８．５℃、５％ＣＯ２、飽和湿度の気相下で体外受精まで２２時間、成熟培養を行った。
【００２９】
体外受精
体外受精には１頭の黒毛和種種雄牛の凍結精液を用いた。この凍結精液を３８℃の温湯で融解して９０％パーコール密度勾配液に重層し、７４０×ｇで１０分間の遠心分離ののち上清を吸引除去し、ＩＶＦ１００（株式会社機能性ペプチド研究所）で希釈して５４０×ｇで５分間遠心分離後、ＩＶＦ１００液で最終濃度３００万精子／ｍＬに調製した。流動パラフィンを重層したこの精子浮遊液のドロップに成熟培養後の卵丘細胞卵子複合体を移し、成熟培養と同温度、同気相下で６時間培養した。
【００３０】
体外発生培養
媒精後の卵子は卵丘細胞を剥離後、流動パラフィンを重層した５%新生子牛血清添加ＣＲ１ａａを用い、３８．５℃、５%ＣＯ２、５%Ｏ２、９０%Ｎ２、飽和湿度の気相下で８日間の体外発生培養を行った。
【００３１】
卵子の採取及び体外培養試験
比較例では常法に従って卵子を手動吸引して採取した。本実施例では、吸引チューブ１０の長さを５０ｃｍ、吸引圧を１２０ｍｍＨｇ（＝１６．０ｋPａ、４２．８ｍＬ／分）に設定し、フラッシング液として５%新生子牛血清、９ｍＭ  Ｈｅｐｅｓ、１１ｍＭ  Ｎａ−Ｈｅｐｅｓ緩衝ＴＣＭ１９９を用いて注射針１と吸引チューブ１０にフラッシング液を満たした状態で卵子を採取した。
比較例、本実施例それぞれにおいて、穿刺した卵胞数と採取した卵子数から卵子の回収率を算出した。採取した卵子の品質は、卵丘細胞層が３層以上に緊密に付着したものを「Ａ」、卵丘細胞層が３層以下あるいは卵子周囲に１／３以上付着したものを「Ｂ」、卵丘細胞層が裸化したものを「裸化」、卵丘細胞が膨潤化したものを「膨化」、卵子直径が小型のものを「小型」、卵細胞質が変性したものを「変性」とした６段階に分類し、その割合を比較した。
得られた卵子のうち品質の高いA、Bランクの卵丘細胞卵子複合体を培養試験に供試し、体外受精後２日目に初期卵割検査（２日目の卵割率）、７日目及び８日目までの胚盤胞期胚への発生率の検査（７〜８日目の胚盤胞期胚発生率）を行った。
【００３２】
発生した胚の染色
８日目に拡張胚盤胞期以上に発生した胚を、２５μg／ｍＬ  Ｈｏｅｃｈｓｔ３３３４２添加９９．５％エタノール溶液を用いて染色し、総細胞数を計測した。
【００３３】
図５（ａ）は卵子の回収率を示す図、図５（ｂ）は採取した卵子の品質の割合を示す図、図５（ｃ）は体外受精後の胚の発生率（卵割率と胚盤胞期胚発生率）を示す図、図５（ｄ）は発生した胚の総細胞数を示す図である。
図５（ａ）に示すように、本実施例が卵子の回収率を低下することなく使用可能であることを示している。
図５（ｂ）に示すように、得られた卵子の品質割合は「小型」の割合が比較例で有意に高かった。それ以外のランクで有意な差は認められなかった。通常、体外培養に供する卵子の品質はＡ、Ｂランクであることから、本実施例は比較例と同様に卵子の品質を下げることなく採取できることを示している。
図５（ｃ）に示すように、Ａ、Ｂランクの卵子の培養において、本実施例は比較例と同等の胚の発生率であった。
図５（ｄ）に示すように、本実施例は比較例と比較し、体外受精後８日目の拡張期胚盤胞期以上の胚の総細胞数に有意な差は認められなかった。
以上の結果から、本実施例は比較例と比較して、卵子の回収率、培養可能卵子の品質、体外受精後の胚の発生率、発生胚の細胞数のすべての試験において、有意差は認められなかったことから十分実用可能である。
【００３４】
図６は本考案の他の実施例による卵胞内卵子吸引採取器具の器具本体を示す透視図である。
図６（ａ）はストッパーを外した状態での同器具本体をジョイント接続部側から見た斜視図、図６（ｂ）はストッパーを外した状態での同器具本体を吸引チューブ出口部側から見た斜視図、図６（ｃ）は同器具本体の裏面側の斜視図を示している。上記実施例と同一機能部材には、同一符号を付して説明を省略する。
本実施例では、吸引チューブ保持通路２３は、器具本体２０の内部に形成する器具本体内吸引チューブ保持通路２３Ｘと、器具本体２０の外周面に形成する器具本体外周面吸引チューブ保持通路２３Ｙとを有している。
器具本体２０は、器具本体内吸引チューブ保持通路２３Ｘと器具本体外周面吸引チューブ保持通路２３Ｙとを連通する連通開口部２５を有している。
器具本体内吸引チューブ保持通路２３Ｘは、ジョイント接続部２１と連通開口部２５とを連通し、器具本体外周面吸引チューブ保持通路２３Ｙは、連通開口部２５と吸引チューブ出口部２２Ｃとを連通する。
器具本体外周面吸引チューブ保持通路２３Ｙは、連通開口部２５と吸引チューブ出口部２２Ｃとの間で通路方向を変更して蛇行させている。
本実施例によれば、器具本体外周面吸引チューブ保持通路２３Ｙによって吸引チューブ１０の長手方向の変位を無くすことができるため、ストッパー３０のスライド操作による吸引チューブ１０の変位を防止でき、吸引チューブ１０の変位によってジョイント１１がジョイント挿入孔２１ａから押し出されることを防止できるので、ジョイント１１を緩み無く保持することができる。
【産業上の利用可能性】
【００３５】
本考案は、体外受精胚生産を行う哺乳動物での利用に適している。
【符号の説明】
【００３６】
１  吸引針
１ａ  針基
１ｂ  突起
１ｃ  針穴
２  回収容器
３  吸引器
３ａ  吸引ポンプ
３ｂ  トラップ容器
３ｃ  第１吸引管
３ｄ  第２吸引管
３ｅ  表示計
３ｆ  つまみ
１０  吸引チューブ
１１  ジョイント
１１  器具本体装着部ｂ
１１ａ  針装着部
１１ｂ  器具本体装着部
１１ｃ  吸引筒部
１１ｄ  吸引孔
１２  他端
２０  器具本体
２０Ｒ  他端面
２０Ｓ  他端側側面
２０Ｘ  先端部
２０Ｙ  後端部
２１  ジョイント接続部
２１ａ  ジョイント挿入孔
２１ｂ  スリット
２２  吸引チューブ出口部
２２Ａ  第１吸引チューブ出口部
２２Ｂ  第２吸引チューブ出口部
２２Ｃ  吸引チューブ出口部
２３  吸引チューブ保持通路
２３ａ  傾斜面
２３ｂ  浅面
２３ｃ  深面
２３Ｘ  器具本体内吸引チューブ保持通路
２３Ｙ  器具本体外周面吸引チューブ保持通路
２４  スライド溝
２４ａ  幅広部
２５  連通開口部
３０  ストッパー
３１  操作部
３１ａ  突起
３２  吸引チューブ押圧部
３３  ガイド部
Ａ  卵胞内卵子吸引採取器具
【図１】
0003213756.tif 000003
【図２】
0003213756.tif 000004
【図３】
0003213756.tif 000005
【図４】
0003213756.tif 000006
【図５】
0003213756.tif 000007
【図６】
0003213756.tif 000008